(57)【特許請求の範囲】
【請求項１】
回転軸に対して軸方向にスライド可能に取り付けられ、前記回転軸に設けた軸側駆動伝達部が嵌合する軸方向に延びた嵌合部を有し、前記回転軸との間で駆動伝達を行う駆動伝達部材と、
前記駆動伝達部材を軸方向一方側に付勢するコイルスプリングと、
前記コイルスプリングの付勢力による駆動伝達部材の前記回転軸からの抜け出しを防止する抜け止め手段とを有する駆動伝達装置であって、
前記回転軸を回転自在に支持する軸受を備え、
前記駆動伝達部材が前記抜け止め手段により止められているときの前記コイルスプリングの長さをＡ、
巻線同士が密着するまで前記コイルスプリングを圧縮したときのコイルスプリングの長さである密着高さをＢ、
前記嵌合部の軸方向長さをＣとしたとき、
前記コイルスプリングとして、巻線ピッチが互いに異なる部分を有するコイルスプリングを用いて、Ｃ＞Ａ−Ｂの関係を満たし、
前記コイルスプリングの一端が、前記軸受の内輪部に突き当たることを特徴とする駆動伝達装置。
【請求項２】
請求項１に記載の駆動伝達装置であって、
前記コイルスプリングの一端が、前記内輪部に直接当接することを特徴とする駆動伝達装置。
【請求項３】
請求項１または２に記載の駆動伝達装置であって、
前記コイルスプリングの巻線ピッチが互いに異なる部分のうち、巻線ピッチが密の部分の巻線ピッチは、巻き線の直径と同じであることを特徴とする駆動伝達装置。
【請求項４】
請求項１乃至３のいずれかに記載の駆動伝達装置であって、
前記コイルスプリングは、巻線ピッチが疎の部分と、３巻き以上の巻線ピッチが密の部分とを有し、巻線ピッチ密の部分は、巻線同士が接触していることを特徴とすることを特徴とする駆動伝達装置。
【請求項５】
請求項１乃至４のいずれかに記載の駆動伝達装置であって、
前記抜け止め手段は、前記軸側駆動伝達部であることを特徴とする駆動伝達装置。
【請求項６】
請求項１乃至５いずれかに記載の駆動伝達装置であって、
前記コイルスプリングの一端を、前記回転軸に圧入された部材に当接させたことを特徴とする駆動伝達装置。
【請求項７】
請求項６に記載の駆動伝達装置であって、
前記回転軸に圧入された部材が、ベアリングであることを特徴とする駆動伝達装置。
【請求項８】
請求項１乃至７いずれかに記載の駆動伝達装置であって、
前記駆動伝達部材は、前記回転軸が挿入される筒状部を有し、
前記筒状部の内径を、前記回転軸の外径よりも大きくしたことを特徴とする駆動伝達装置。
【請求項９】
請求項１乃至８いずれかに記載の駆動伝達装置を備えた画像形成装置。
【発明の詳細な説明】
【技術分野】
【０００１】
本発明は、駆動伝達装置および画像形成装置に関するものである。
【背景技術】
【０００２】
従来から、感光体や現像ローラなど、複数の回転体を備えたプロセスカートリッジを、装置本体に対して着脱可能に構成した画像形成装置が知られている。画像形成装置本体の駆動源からプロセスカートリッジに備えられた複数の回転体へ駆動力を伝達する駆動伝達装置は、回転体の回転軸の先端に従動側カップリングを設けるとともに、画像形成装置本体に設けられた駆動出力軸に駆動側カップリングを設け、これらカップリングを同士の係合により回転体の軸と駆動出力軸とを連結している。
【０００３】
例えば、特許文献１には、上記従動側カップリングが、軸方向にスライド可能に回転体の回転軸に取り付けられている駆動伝達装置が記載されている。具体的には、駆動伝達部材たる従動側カップリングは、回転軸が挿入される円筒部と、円筒部の駆動側端部から軸方向に延びる爪部とを有している。この爪部に駆動側カップリングの駆動側爪部が回転方向から当接して、駆動側カップリングから従動側カップリングに駆動力が伝達される。また、円筒部の内周面には、円筒部の駆動側カップリング側端部から軸方向に延びる溝部を有している。この溝部に回転軸に設けられた軸側駆動伝達部たる平行ピンが嵌合することで、従動側カップリングは、回転軸に軸方向にスライド可能に取り付けられる。駆動側カップリングから従動側カップリングに伝達された駆動力は、上記平行ピンを介して回転軸に伝達され、回転体が回転する。
【０００４】
また、回転体と従動側カップリングとの間には、従動側カップリングを駆動側カップリング側へ付勢するコイルスプリングが設けられている。コイルスプリングの一端は、回転体のフランジに突き当たっており他端は、従動側カップリングに突き当たっている。また、従動側カップリングが回転体側に押し込まれていないときは、抜け止め手段としての平行ピンが溝部の回転体側端部に突き当たって、コイルスプリングの付勢力で回転軸から抜け出さないように、従動側カップリングの駆動側カップリング側への移動を規制している。
【発明の概要】
【発明が解決しようとする課題】
【０００５】
装置のレイアウトなどにより、コイルスプリングの一端が突き当たる回転体のフランジなどの軸に取り付けられた部材から、コイルスプリングの他端が突き当たる駆動伝達部材たるカップリングまでの距離が長くなる場合がある。その結果、コイルスプリングの長さが長くなり、カップリングの軸方向の移動可能範囲が、嵌合部たる溝部の軸方向長さよりも長くなり、軸側駆動伝達部たる平行ピンが溝部から外れてしまうおそれがあった。
【課題を解決するための手段】
【０００６】
上記課題を解決するために、本発明は、回転軸に対して軸方向にスライド可能に取り付けられ、前記回転軸に設けた軸側駆動伝達部が嵌合する軸方向に延びた嵌合部を有し、前記回転軸との間で駆動伝達を行う駆動伝達部材と、前記駆動伝達部材を軸方向一方側に付勢するコイルスプリングと、前記コイルスプリングの付勢力による駆動伝達部材の前記回転軸からの抜け出しを防止する抜け止め手段とを有する駆動伝達装置であって、前記回転軸を回転自在に支持する軸受を備え、前記駆動伝達部材が前記抜け止め手段により止められているときの前記コイルスプリングの長さをＡ、巻線同士が密着するまで前記コイルスプリングを圧縮したときのコイルスプリングの長さである密着高さをＢ、前記嵌合部の軸方向長さをＣとしたとき、前記コイルスプリングとして、巻線ピッチが互いに異なる部分を有するコイルスプリングを用いて、Ｃ＞Ａ−Ｂの関係を満たし、前記コイルスプリングの一端が、前記軸受の内輪部に突き当たることを特徴とするものである。
【発明の効果】
【０００７】
本発明によれば、軸側駆動伝達部が駆動伝達部材の嵌合部から外れてしまうのを抑制することができる。
【図面の簡単な説明】
【０００８】
【図１】実施形態に係る複写機を示す概略構成図。
【図２】同複写機のプロセスカートリッジを示す拡大構成図。
【図３】同プロセスカートリッジを駆動する駆動装置を示す斜視図。
【図４】同プロセスカートリッジと同駆動装置とを示す正面図。
【図５】駆動出力軸周辺の拡大斜視図。
【図６】駆動出力軸１８４の周辺を示す概略構成図。
【図７】従来のクリーニングモータの駆動力を伝達する駆動伝達機構の一部を示す図。
【図８】別の駆動伝達機構の従来例を示す図。
【図９】さらに別の駆動伝達機構の従来例を示す図。
【図１０】本実施形態のクリーニングモータの駆動力を伝達する駆動伝達機構の一部を示す図。
【図１１】駆動出力軸への部品の組み付けについて説明する図。
【図１２】コイルスプリングとボールベアリングとの間に圧入部品を圧入した実施例を示す図。
【発明を実施するための形態】
【０００９】
以下、本発明を画像形成装置としての複写機に適用した実施形態について説明する。まず、図１を用いて、この複写機の概略について説明する。この複写機は、原稿を走査して読み取って得た画像情報をデジタル化して画像形成に用いるいわゆるデジタルカラー複写機としての機能を有している。また、この複写機は、原稿の画像情報を遠隔地と授受するファクシミリの機能や、コンピュータが扱う画像情報を用紙上に印刷するいわゆるプリンタの機能も有している。
【００１０】
図１において、複写機は、中間転写ベルト１１を用いた中間転写方式で記録シートに画像を形成するものであって、且つ、各色のトナー像をそれぞれ専用のプロセスカートリッジで作像するタンデム方式の電子写真装置である。複写機の鉛直方向における最下部には、多段状の給紙部２が設けられている。また、その上方に画像形成部１、さらにその情報にスキャナ部３がそれぞれ設けられている。給紙部２の各段には、記録部材である普通紙や、ＯＨＰシート、第二原図などの記録シートからなるシート束を収容する給紙トレイ２１が配設されている。
【００１１】
画像形成部１のほぼ中央には、ベルトループ内側に配設された複数のローラによって無端状の中間転写ベルト１１を張架している転写装置１０が配設されている。中間転写ベルト１１は、図中時計回り方向に回転（表面移動）する。中間転写ベルト１１の上方には、中間転写ベルト１１の表面移動方向に沿って、イエロー，マゼンタ，シアン，ブラックのトナー像を作像するための４つのプロセスカートリッジ４０Ｙ，４０Ｍ，４０Ｃ，４０Ｋが配設されている。以下、色分け符号であるＹ，Ｍ，Ｃ，Ｋについては、適宜省略する。また、４つのプロセスカートリッジ４０の上方には２つの潜像書込手段としての光書込ユニット２０ａ，２０ｂが設けられている。
【００１２】
図２は、４つプロセスカートリッジ４０Ｙ，４０Ｍ，４０Ｃ，４０Ｋのうちの１つを示す概略構成図である。
各プロセスカートリッジ４０には、潜像担持体としてのドラム状の感光体４１が設けられている。各感光体４１は、それぞれ、図中反時計回り方向に回転可能に設けられており、その周囲には、公知の帯電装置４２、現像装置４３、感光体クリーニング装置４４が設けられている。
【００１３】
帯電装置４２は、感光体４１に当接するように配置された帯電ローラ４２ａと、この帯電ローラ４２ａに当接して回転する帯電ローラクリーナ４２ｂとから主として構成されている。帯電ローラ４２ａは、帯電バイアスを印加され、感光体４１表面に電荷を与えて感光体４１を一様帯電する。帯電ローラクリーナ４２ｂは、帯電ローラ４２ａの表面に付着したトナーなどの付着物を除去する。
【００１４】
現像装置４３は、図中矢印Ｉ方向に表面移動しながら感光体４１の表面の潜像にトナーを供給して潜像を現像する現像剤担持体としての現像ローラ４３ａを有している。また、現像ローラ４３ａに現像剤を供給しながら図紙面に直交する方向の奥側から手前側に向けて現像剤を搬送する供給搬送部材としての供給スクリュウ４３ｂを有している。供給スクリュウ４３ｂは、回転軸とこの回転軸に設けられた羽部とを備え、回転することにより軸方向に現像剤を搬送するものである。
【００１５】
現像ローラ４３ａと供給スクリュウ４３ｂとの対向部よりも現像ローラ表面移動方向下流側には、現像ローラ４３ａ上の現像剤を現像に適した厚さに規制する現像剤規制部材としての現像ドクタ４３ｃが設けられている。また、現像ローラ４３ａと感光体４１との対向領域である現像領域よりも現像ローラ表面移動方向下流側には、現像領域を通過した現像済みの現像剤を回収する回収スクリュウ４３ｄが設けられている。この回収スクリュウ４３ｄは、現像ローラ４３ａから回収した回収現像剤を供給スクリュウ４３ｂと同方向に搬送するものである。供給スクリュウ４３ｂを収容する供給搬送路４３ｅは、現像ローラ４３ａの側方に配設されている。また、回収スクリュウ４３ｄを収容する現像剤回収搬送路としての回収搬送路４３ｆは現像ローラ４３ａの下方に並設されている。
【００１６】
現像装置４３は、供給搬送路４３ｅの下方で現像剤を回収搬送路４３ｆと平行な方向に撹拌搬送する攪拌搬送路４３ｇを有している。攪拌搬送路４３ｇは、現像剤を攪拌しながら供給スクリュウ４３ｂとは逆方向である図中奥方向に向けて搬送する攪拌スクリュウ４３ｈを有している。
【００１７】
供給搬送路４３ｅと攪拌搬送路４３ｇとは第一仕切り壁によって仕切られている。第一仕切り壁の供給搬送路４３ｅと攪拌搬送路４３ｇとを仕切る箇所は図中手前側と奥側との両端は開口部となっており、供給搬送路４３ｅと攪拌搬送路４３ｇとが連通している。なお、供給搬送路４３ｅと回収搬送路４３ｆとも第一仕切り壁によって仕切られているが、第一仕切り壁の供給搬送路４３ｅと回収搬送路４３ｆとを仕切る箇所には開口部が設けられていない。また、攪拌搬送路４３ｇと回収搬送路４３ｆとの２つの搬送路は第二仕切り壁によって仕切られている。第二仕切り壁は、図中手前側が開口部となっており、攪拌搬送路４３ｇと回収搬送路４３ｆとが連通している。
【００１８】
現像ローラ４３ａ上の現像剤は、現像ドクタ４３ｃによって薄層化された後、感光体４１との現像ローラ４３ａとの対向領域である現像領域に搬送されて現像に寄与する。現像後の現像剤は回収搬送路４３ｆに回収された後、図紙面に直交する方向の奥側から手前側に向けて搬送され、第二仕切り壁に設けられた開口部を通って攪拌搬送路４３ｇに進入する。なお、攪拌搬送路４３ｇにおける現像剤搬送方向上流側端部の第二仕切り壁の開口部の付近で攪拌搬送路４３ｇの上側に設けられた現像剤補給口から攪拌搬送路４３ｇ内にトナーが補給される。
【００１９】
攪拌搬送路４３ｇから現像剤の供給を受けた供給搬送路４３ｅでは、現像ローラ４３ａに現像剤を供給しながら、供給スクリュウ４３ｂで供給搬送路４３ｅの現像剤搬送方向最下流側近傍に現像剤を搬送する。そして、現像ローラ４３ａに供給され現像に用いられず供給搬送路４３ｅの現像剤搬送方向最下流近傍まで搬送された余剰現像剤は、第一仕切りの余剰開口部を通じて攪拌搬送路４３ｇに供給される。
【００２０】
現像ローラ４３ａから回収搬送路４３ｆに送られ、回収スクリュウ４３ｄによって回収搬送路４３ｆの現像剤搬送方向最下流近傍まで搬送された回収現像剤は第二仕切り壁の回収開口部を通じて攪拌搬送路４３ｇに供給される。そして、攪拌搬送路４３ｇは、供給された余剰現像剤と回収現像剤とを攪拌しながら、攪拌スクリュウ４３ｈで攪拌搬送路４３ｇの現像剤搬送方向最下流側近傍であり、且つ供給搬送路４３ｅの現像剤搬送方向最上流側近傍の位置まで搬送する。かかる位置まで搬送された現像剤は、第一仕切り壁の供給開口部を通じて供給搬送路４３ｅに進入する。
【００２１】
攪拌搬送路４３ｇでは、攪拌スクリュウ４３ｈによって、回収現像剤、余剰現像剤及び現像剤補給口から必要に応じて補給されるトナーを、回収搬送路４３ｆ及び供給搬送路４３ｅの現像剤と逆方向に攪拌搬送する。そして、現像剤搬送方向最下流側近傍で連通している供給搬送路４３ｅの現像剤搬送方向最上流側近傍に攪拌された現像剤を移送する。
【００２２】
攪拌搬送路４３ｇの現像剤搬送方向最下流側近傍の供給開口部の真下付近には、トナー濃度センサーが設けられている。トナー濃度センサーからの出力に応じて、トナー補給制御装置が駆動されて、撹拌搬送路４３ｇ内にトナーが補給される。
【００２３】
感光体クリーニング装置４４は、感光体４１の回転軸方向に長尺な弾性部材であるクリーニングブレード４４ａ、排出スクリュウ４４ｂ、潤滑剤塗布装置４５などを備えている。クリーニングブレード４４ａにおけるその長尺方向に延びる一辺（当接辺）をエッジ部として感光体４１の表面に押しつけて、感光体４１表面上の転写残トナー等の不要な付着物を引き離し除去する。除去されたトナーは、排出スクリュウ４４ｂによって感光体クリーニング装置４４の外に排出される。
【００２４】
潤滑剤塗布装置４５は、塗布ブラシとして潤滑剤塗布ブラシローラ４５ａと、固形潤滑剤４５ｂと、均しブレード４５ｃとから主に構成されている。固形潤滑剤４５ｂは、ブラケット４５ｄに保持され、加圧手段により潤滑剤塗布ブラシ側に加圧されている。潤滑剤塗布ブラシは、感光体４１の回転方向に対して連れまわり方向に回転し、固形潤滑剤４５ｂを削りとって感光体４１上に潤滑剤を塗布する。均しブレード４５ｃにおけるその長尺方向に延びる一辺（当接辺）をエッジ部として感光体４１の表面に押しつけて、感光体４１表面上の潤滑剤を均す。
【００２５】
図１において、転写装置１０は、中間転写ベルト１１やベルトクリーニング装置１７、４つの一次転写ローラ４６などを有している。中間転写ベルト１１は、張架ローラ１４、駆動ローラ１５、二次転写対向ローラ１６を含む複数のローラによってテンション張架されている。そして、ベルト駆動モータによって駆動される駆動ローラ１５の回転によって図中時計回りに無端移動せしめられる。
【００２６】
４つの一次転写ローラ４６は、それぞれ中間転写ベルト１１の内周面側に接触するように配設され、電源から一次転写バイアスの印加を受ける。また、中間転写ベルト１１をその内周面側から感光体４１に向けて押圧してそれぞれ一次転写ニップを形成する。各一次転写ニップには、一次転写バイアスの影響により、感光体と一次転写ローラとの間に一次転写電界が形成される。感光体４１条のトナー像は、この一次転写電界やニップ圧の影響によって中間転写ベルト１１上に一次転写される。
【００２７】
また、転写装置１０は、二次転写手段を構成する二次転写ローラ２２を中間転写ベルト１１の下方に有している。この二次転写ローラ２２が中間転写ベルト１１を介して二次転写対向ローラ１６に圧接するようになっている。そして、この二次転写ローラ２２が、自らと中間転写ベルト１１との間に送り込まれる記録シートに対し、中間転写ベルト１１上のトナー画像を一括二次転写する。二次転写対向ローラ１６よりも中間転写ベルト１１表面移動方向下流側には、ベルトクリーニング装置１７が設けられており、このベルトクリーニング装置１７によって画像転写後に中間転写ベルト１１の表面に残留する残留トナーが除去される。また、ベルトクリーニング装置１７には、潤滑剤塗布機構を備えており、中間転写ベルト１１の表面に潤滑剤を塗布している。
【００２８】
二次転写ローラ２２の紙搬送方向下流側には、記録シート上に形成されたトナー画像をシート表面に定着せしめる定着装置２５が設けられている。無端状の定着ベルト２６には定着加圧ローラ２７が圧接されている。画像転写後の記録シートは、一対のローラ２３間に架け渡された無端状の搬送ベルト２４によって定着装置２５へ搬送される。また、二次転写ローラ２２の下方には、シート表裏両面に画像を形成する際にシートを反転させるシート反転装置２８が設けられている。
【００２９】
以上の構成を具備する複写機でカラー原稿のコピーをとるときには、コンタクトガラス上にセットされた原稿の画像をスキャナ部３によって読み取る。また、中間転写ベルト１１を回転させて、公知の画像形成プロセスによって各感光体４１上にそれぞれトナー像を形成する。次に各感光体上に形成したトナー像を順次重ね合わせて中間転写ベルト１１に一次転写して、中間転写ベルト１１上に４色重ね合わせトナー像を形成する。
【００３０】
一方、中間転写ベルト１１に対する４色重ね合わせトナー像の画像形成動作と並行して、給紙部２の選択された給紙トレイ２１から記録シートを１枚ずつ分離給紙して、レジストローラ２９に向けて搬送する。分離搬送された記録シートは、レジストローラ２９のニップに突き当たることによって搬送が一時止められて待機される。レジストローラ２９は、中間転写ベルト１１上に形成された４色重ね合わせトナー像と、記録シートの先端との位置関係を所定の位置にするように、タイミングをとって回転駆動が開始される。このレジストローラ２９の回転により、待機されている記録シートが再び給紙される。これにより、この記録シートの所定位置に対し、二次転写ローラ２２によって中間転写ベルト１１上の４色重ね合わせトナー像が二次転写されて、記録シート上にフルカラートナー像が形成される。
【００３１】
このようにしてフルカラートナー像が形成された記録シートは、二次転写ローラ２２よりも搬送経路の下流側にある定着装置２５に送り込まれる。この定着装置２５は、二次転写ローラ２２によって二次転写されたフルカラートナー像を記録シート上に定着せしめるものである。フルカラートナー像が定着された記録シートは、排紙ローラ３０によって装置外部へ排紙される。記録シートの両面に画像を形成する両面プリントモードにおいて、第一面だけにフルカラートナー像を定着させた記録シートが定着装置２５から排出された場合には、その記録シートは排紙ローラ３０ではなく、シート反転装置２８に送られる。そして、シート反転装置２８によって表裏面を反転せしめられた後、レジストローラ２９に再搬送される。その後、二次転写ローラ２２と定着装置２５とを経由することで、第二面にも、フルカラー画像が形成される。
【００３２】
図３は、プロセスカートリッジ４０を駆動する駆動装置８０を示す斜視図である。
駆動装置８０は、感光体４１を駆動するドラムモータ８１と、現像ローラ４３ａやスクリュウ４３ｂ,４３ｄ,４３ｈなどの現像装置内の回転体を駆動する現像モータ８２と、潤滑剤塗布ブラシローラ４５ａや排出スクリュウ４４ｂなどの潤滑剤塗布装置４５および感光体クリーニング装置４４内の回転体を駆動するクリーニングモータ８３とを備えている。現像モータ８２およびクリーニングモータ８３は、第１モータ取り付け面板８５ａに取り付けられており、第１モータ取り付け面板８５ａは、奥側側板８４のプロセスカートリッジ４０対向面と反対側に取り付けられている。ドラムモータ８１は、第２モータ取り付け面板８５ｂに取り付けられ、第２モータ取り付け面板８５ｂは、第１モータ取り付け面板８５ａに取り付けられている。各モータ８１,８２,８３の駆動力は、ギヤやカップリングなどを介してプロセスカートリッジ４０内の回転体に伝達される。
【００３３】
図４は、プロセスカートリッジと駆動装置８０とを示す正面図である。
図５は、駆動出力軸１８４周辺の拡大斜視図である。
図４に示すように、潤滑剤塗布装置４５および感光体クリーニング装置４４内の回転体にクリーニングモータ８３の駆動力を伝達する駆動伝達装置たる駆動伝達機構は、アイドラギヤ部１８３、出力ギヤ１８５、駆動出力軸１８４、ジョイント９０、コイルスプリング９１などを有している。アイドラギヤ部１８３は、クリーニングモータ８３のモータギヤ８３ａと噛み合う第１ギヤ１８３ａと、出力ギヤ１８５と噛み合う第２ギヤ１８３ｂとを有している。出力ギヤ１８５は、駆動出力軸１８４と一体で回転するように駆動出力軸１８４に取り付けられている。
【００３４】
クリーニングモータ８３の駆動力は、アイドラギヤ部１８３、出力ギヤ１８５を介して駆動出力軸１８４に伝達される。そして、駆動出力軸１８４からジョイント９０を介して潤滑剤塗布ブラシローラ４５ａに伝達され、潤滑剤塗布ブラシローラ４５ａが回転駆動する。
【００３５】
図６は、駆動出力軸１８４の周辺を示す概略構成図である。
駆動出力軸１８４は、奥側側板８４を貫通し、奥側側板８４と第１モータ取り付け面板８５ａとにボールベアリング１８６、１８７を介して回転自在に支持されている。ジョイント９０は、駆動側カップリング９０ａと従動側カップリング９０ｂとからなり、駆動側カップリング９０ａは、駆動出力軸１８４の先端に取り付けられている。一方、従動側カップリング９０ｂは、潤滑剤塗布ブラシローラ４５ａのブラシ軸１４５ａの先端に取り付けられている。
【００３６】
駆動側カップリング９０ａは、駆動出力軸１８４が挿入される筒状部１９２を有している。また、駆動側カップリング９０ａは、筒状部１９２のプロセスカートリッジ側端部（図中左端）から軸方向に延びる２個の駆動突起部１９３が、回転方向に１８０°の間隔を開けて設けられている。また、筒状部の従動側カップリング側端部から奥側側板８４側に延びる切り欠き状の嵌合部たる溝部１９１が設けられており、この溝部１９１に駆動出力軸の先端に設けられた軸側駆動伝達部材たる平行ピン１８４ａが嵌っている。駆動側カップリング９０ａは、コイルスプリング９１により従動側カップリング９０ｂ側に付勢されている。
【００３７】
従動側カップリング９０ｂは、先端が２箇所切り欠かれて形成された断面角丸長方形状（小判形状・オーバル形状）のブラシ軸１４５ａの先端部が挿入される筒状部２９２を有している。筒状部２９２の孔形状も、角丸長方形状をしている。この筒状部２９２をブラシ軸１４５ａの先端部に嵌め込むことで、ブラシ軸１４５ａと一体的回転するように従動側カップリング９０ｂがブラシ軸１４５ａに取り付けられる。
【００３８】
従動側カップリング９０ｂは、筒状部２９２の駆動装置側端部（図中右端）から軸方向に延びる従動側突起部２９３が、回転方向に１８０°の間隔を開けて２つ設けられている。従動側突起部２９３は、駆動側カップリング９０ａの突起部１９３と当接して駆動力を受ける駆動伝達面２９３ａから回転方向に離れるに従って徐々に低くなるような傾斜部を有している。
【００３９】
駆動側カップリング９０ａが、従動側カップリング９０ｂに接続されると、駆動側カップリングの駆動突起部１９３が従動側カップリングの従動側突起部２９３の駆動伝達面２９３ａと回転方向で対向する。クリーニングモータ８３の駆動力により駆動出力軸１８４が回転すると、平行ピン１８４ａを介して駆動側カップリング９０ａに駆動力が伝達され、駆動側カップリング９０ａが回転駆動する。駆動側カップリング９０ａが回転駆動すると、駆動突起部１９３が回転方向で従動側カップリングの駆動伝達面２９３ａに当接し、従動側カップリング９０ｂに駆動力が伝達され、潤滑剤塗布ブラシローラ４５ａが回転駆動する。
【００４０】
コイルスプリング９１は、ボールベアリング１８６と駆動出力軸１８４の先端に設けられた駆動側カップリングとの間に設けられており、駆動側カップリングを従動側カップリング側に付勢している。具体的には、コイルスプリング９１の一端は、駆動出力軸１８４が圧入されたボールベアリング１８６の内輪部１８６ａに当接しており、他端は、駆動側カップリング９０ａの筒状部１９２の奥側側板８４側（図中右側）端部に当接している。コイルスプリング９１は、圧縮された状態で、ボールベアリング１８６と駆動側カップリング９０ａとの間に取り付けられている。また、本実施形態では、平行ピン１８４ａが、溝部１９１のコイルスプリング側端部に突き当たって、駆動側カップリング９０ａがコイルスプリング９１の付勢力で駆動出力軸から抜け出すのを防止する抜け止め手段としての機能を有している。
【００４１】
プロセスカートリッジ４０の装着時に従動側カップリング９０ｂの従動突起部２９３が、駆動側カップリング９０ａの駆動突起部１９３に軸方向から当接したとき、駆動側カップリング９０ａがコイルスプリング９１を圧縮しながら、奥側へ移動する。これにより、従動側カップリング９０ａと駆動側カップリング９０ａとの接続が行われなくても、プロセスカートリッジ４０を装置本体に装着することができる。そして、駆動側カップリング９０ａが回転駆動して従動側カップリング９０ｂの従動突起部２９３と駆動側カップリング９０ａの駆動突起部１９３との当接が外れると、駆動側カップリング９０ａがコイルスプリング９１の付勢力により従動側カップリング側へ移動する。これにより、駆動側カップリング９０ａの駆動突起部１９３が、従動側カップリングの従動突起部２９３の駆動伝達面２９３と回転方向から対向し、駆動側カップリング９０ａと従動側カップリングとが接続され、駆動側カップリング９０ａから従動側カップリングへ駆動力が伝達される。
【００４２】
先の図４に示すように、感光体クリーニング装置４４の奥側側面１８ａは、プロセスカートリッジの最も奥側に位置にする箇所から、距離Ｌ分、手前側に位置している。そのため、駆動出力軸１８４の奥側側板８４からの延び出し量が多くなっている。その結果、ボールベアリング１８６と駆動側カップリングとの間に設けられるコイルスプリング９１の長さも長くなってしまう。
【００４３】
図７は、従来のクリーニングモータ８３の駆動力を伝達する駆動伝達機構の一部を示す図である。
図７に示すように、従来においては、巻線ピッチＰが等しい等ピッチのコイルスプリング９１を用いていた。しかし、この図７に示すように、駆動側カップリング９０ａの奥側（図中右側）の移動可能範囲が、溝部１９１の軸方向長さＣよりも長くなり、平行ピン１８４ａが溝部１９１から外れてしまう場合があった。駆動側カップリング９０ａの奥側（図中右側）の移動可能範囲は、コイルスプリング９１の付勢力で平行ピン１８４ａに溝部１９１のコイルスプリング側端部が突き当たって、抜け止め手段としての平行ピン１８４ａにより駆動側カップリングが止められているときのコイルスプリング９１長さ（以下、指定長さという）Ａから、コイルスプリング９１の密着高さＢを差し引いた値（Ａ−Ｂ）である。なお、密着高さＢとは、コイルスプリング９１を巻線が同士が密着するまで圧縮したときの長さである。
【００４４】
図８は、別の従来例を示す図である。
図８に示す従来例は、駆動出力軸１８４の先端側を小径にし、ボールベアリング１８６よりも駆動側カップリング９０ａ側に段差部１８４ｂを設け、その段差部１８４ｂにコイルスプリング９１の一端を当接させたものである。
この図８に示す構成では、指定長さＡを短くすることができ、駆動側カップリング９０ａの奥側の移動可能範囲（Ａ−Ｂ）を、溝部１９１の軸方向長さＣよりも短くできる（Ｃ＞Ａ−Ｂ）。これにより、平行ピン１８４ａが溝部１９１から外れる前に、コイルスプリング９１の巻き線同士が互いに密着し、これ以上圧縮変形不能な状態となり、これ以上、駆動側カップリング９０ａが奥側へ移動できなくなる。その結果、平行ピン１８４ａが溝部１９１から外れるのを防止することができる。
【００４５】
しかしながら、この図８に示す構成においては、駆動出力軸１８４の先端を切削加工などの加工を施す必要があり、装置のコストアップに繋がるという不具合がある。また、装置の小型化の要請から駆動出力軸１８４として直径が小さい軸を用いた場合は、駆動出力軸１８４の先端を小径にする加工ができず、駆動出力軸１８４に段差部を設けることができない。
【００４６】
図９は、さらに別の従来例を示す図である。
図９に示す従来例は、ボールベアリング１８６よりも駆動側カップリング９０ａ側に溝を形成し、その溝部にＥリング２００を嵌め込み、このＥリング２００にコイルスプリング９１の一端を当接させたものである。
この図９に示す構成においても、指定長さＡを短くすることができ、駆動側カップリング９０ａの奥側の移動可能範囲（Ａ−Ｂ）を、溝部１９１の軸方向長さＣよりも短くできる（Ｃ＞Ａ−Ｂ）。これにより、図８に示した構成同様、平行ピン１８４ａが溝部１９１から外れるのを防止することができる。
【００４７】
しかしながら、この図９に示す構成においても、駆動出力軸１８４に切削加工などによりＥリングが嵌る溝を形成する必要があり、装置のコストアップに繋がるという不具合がある。また、部品点数が増加することによる装置のコストアップや、Ｅリングを組み付ける作業が増えることによる組み立て工数増加によるコストアップに繋がるおそれもある。
【００４８】
また、駆動側カップリング９０ａの筒状部１９２を長くすることで、指定長さＡを短くして、Ｃ＞Ａ−Ｂの関係を満たすことも考えられる。しかしながら、駆動側カップリングは、装置の奥側に取り付けられることから、簡単に駆動側カップリングにアクセスすることが困難であり、交換が容易に行えない。そのため、本実施形態では、駆動側カップリングを耐久性の高い焼結金属で形成している。そのため、コストが高く、筒状部１９２を長くすると、それだけコストアップに繋がるというおそれがある。
【００４９】
また、駆動側カップリング９０ａの溝部１９１の軸方向長さＣを長くして、Ｃ＞Ａ−Ｂの関係を満たすことも考えられる。しかし、この場合、駆動側カップリング９０ａの強度が低下してしまう。また、強度を満たしてＣ＞Ａ−Ｂの関係を満たすには、筒状部１９２を長くせざるをえず、上述と同様、コストアップに繋がる。
【００５０】
また、ブラシ軸１４５ａの感光体クリーニング装置４４の奥側側面１８ａからの突出量を増やして、駆動出力軸１８４の奥側側板８４からの突出量を減らすことで、指定長さＡを短くして、Ｃ＞Ａ−Ｂの関係を満たすことも考えられる。
しかし、プロセスカートリッジは装置本体から取り外される。ブラシ軸１４５ａの感光体クリーニング装置４４の奥側側面１８ａからの突出量を増やすと、プロセスカートリッジ４０を装置本体から取り外したときに、ブラシ軸１４５ａに物がぶつかるなどしてブラシ軸１４５ａが変形するおそれがある。
【００５１】
また、巻線ピッチＰを狭めて、コイルスプリング９１の巻き数を増やして密着高さＢを高くすることで、Ｃ＞Ａ−Ｂの関係を満たすことも考えられる。しかしながら、この場合、コイルスプリング９１のバネ定数が低下してしまい、駆動側カップリング９０ａの従動側カップリング側への付勢力が弱まってしまう。その結果、従動側カップリング９０ｂにより奥側に押し込まれた駆動側カップリング９０ａが、駆動時にコイルスプリング９１の付勢力で従動側カップリング側へスムーズに移動できない。これにより、駆動側カップリング９０ａと従動側カップリング９０ｂとの接続が不安定となるおそれがある。また、巻き線の直径を大きくすることで、巻線ピッチＰを狭めても所定のバネ定数を得ることができるが、この場合、コイルスプリング９１の直径が大きくなってしまう。コイルスプリング９１の直径が大きくなってしまうと、コイルスプリング９１の周囲の部材と干渉するリスクが高くなる。
【００５２】
そこで、本実施形態では、巻線ピッチが互いに異なる部分を有するコイルスプリング９１を用いて、Ｃ＞Ａ−Ｂの関係を満たすようにした。
図１０は、本実施形態のクリーニングモータ８３の駆動力を伝達する駆動伝達機構の一部を示す図である。
図１０に示すように、本実施形態においては、コイルスプリングとして、巻線ピッチが狭い密の部分９１ｂと、巻線ピッチが大きい疎の部分９１ａとを有した不等ピッチのコイルスプリングを用いた。本実施形態では、密の部分９１ｂの巻線ピッチＰ０を、巻き線の直径と同じとして、巻き線同士を接触させており、バネの機能を有さない。また、疎の部分９１ａの巻線ピッチＰ１は、駆動側カップリング９０ａを良好に付勢することができるバネ定数が得られるような巻線ピッチに設定されている。
【００５３】
かかる構成のコイルスプリング９１を用いることで、バネ定数の低下を抑えて、巻き数を増やすことができ、密着高さＢを高くすることができる。これにより、Ｃ＞Ａ−Ｂの関係を満たすことができる。また、巻き線の直径を大きくせずに、所望のバネ定数を得ることができ、コイルスプリングの大型化が防止することができる。また、駆動出力軸１８４に加工を施したり駆動側カップリングの筒状部を長くしたりすることなく、Ｃ＞Ａ−Ｂの関係を満たすことができ、装置のコストアップを抑えることができる。また、駆動側カップリングの溝部の軸方向長さＣを長くすることなく、Ｃ＞Ａ−Ｂの関係を満たすことができ、駆動側カップリングの耐久性の低下を抑制することができる。
【００５４】
本実施形態では、密の部分９１ｂをコイルスプリングの両端に設けているが、片方のみに密の部分９１ｂを設けてもよい。また、密の部分９１ｂの巻き数は、Ｃ＞Ａ−Ｂの関係を満たすように適宜設定すればよいが、少なくとも３巻き以上に設定するのが好ましい。かかる構成とすることで、コイルスプリングが長くなっても、コイルスプリングの姿勢が安定し、コイルスプリングを駆動出力軸に取り付けやすくできるというメリットがある。
【００５５】
また、本実施形態においては、密の部分９１ｂの巻線ピッチを巻き線の直径と同じとして、巻き線同士を接触させているが、コイルスプリングが圧縮されて駆動側カップリングとボールベアリング１８６との間に取り付けられた状態で巻き線同士が接触していればよい。従って、自由長のとき、密の部分９１ｂは、巻き線同士が非接触でもよい。
【００５６】
なお、駆動側カップリング９０ａとボールベアリング１８６との間に取り付けられた状態で密の部分９１ｂの巻き線同士が非接触であると、以下の不具合が生じる。すなわち、駆動側カップリング９０ａが奥側へ移動し始めの最初の段階は、バネ定数の小さい密の部分９１ｂが主に縮むことになり、駆動側カップリング９０ａに対する付勢力が弱くなる。その結果、コイルスプリング９１の付勢力で、平行ピン１８４ａが、溝部１９１の奥側端部に突き当たる位置まで駆動側カップリング９０ａを付勢力で戻すことができないおそれがあり、従動側カップリング９０ｂとの接続が不安定となるおそれがあるという不具合である。
【００５７】
一方、駆動側カップリング９０ａとボールベアリング１８６との間に取り付けられた状態で密の部分９１ｂの巻き線同士が接触することで、駆動側カップリング９０ａが奥側への移動初期から疎の部分９１ａが縮み、疎の部分９１ａのバネ定数で駆動側カップリングを付勢することができる。これにより、コイルスプリング９１の付勢力で、平行ピン１８４ａが、溝部１９１の奥側端部に突き当たる位置まで、駆動側カップリング９０ａを戻すことができ、従動側カップリングと確実に接続することができる。
【００５８】
図１１は、駆動出力軸１８４への部品の組み付けについて説明する図である。
図１１（ａ）に示すように、まず、駆動出力軸１８４の一端に設けられた嵌合穴に平行ピン１８４ａを差し込む。次に、図１１（ｂ）に示すように、駆動側カップリング９０ａを図中左側から駆動出力軸１８４に組付け、溝部１９１に平行ピン１８４ａを嵌め込む。次に、コイルスプリング９１を図中左側から駆動出力軸１８４に組付ける。
【００５９】
次に、図１１（ｃ）に示すように、図中左側からコイルスプリング９１が所定量圧縮される位置まで、ボールベアリング１８６を圧入した後、駆動連結ピン１８５ａを駆動出力軸１８４に差し込む。次に、図１１（ｄ）に示すように、出力ギヤ１８５を図中左側から駆動出力軸１８４に組付け、出力ギヤ１８５の溝部に駆動連結ピン１８５ａを嵌合させる。最後にボールベアリング１８７を駆動出力軸１８４の他端に組み付ける。
【００６０】
本実施形態の駆動側カップリング９０ａの平行ピン１８４ａと嵌合する溝部１９１がプロセスカートリッジ側が開放された切り欠き状の溝部であり、駆動側カップリング９０ａの平行ピンと嵌合する部分が軸方向に延びる長穴形状の場合に比べて、以下の利点がある。すなわち、駆動側カップリング９０ａの平行ピンと嵌合する部分が軸方向に延びる長穴形状の場合は、まず、駆動側カップリングを駆動出力軸に組み付ける。次に、駆動側カップリング９０ａの長穴と平行ピンが嵌る駆動出力軸の嵌合穴とが重なるように駆動側カップリングを押さえながら、平行ピンを差し込むことになる。このように、駆動側カップリングを押さえながら、平行ピンを差し込むことになるため、平行ピンの差し込み作業が煩雑である。
【００６１】
一方、本実施形態においては、平行ピン１８４ａと嵌合する溝部１９１がプロセスカートリッジ側が開放された切り欠き状の溝部であるため、平行ピン１８４ａを駆動出力軸に差し込んでから、駆動側カップリングを組み付けることができる。これにより、平行ピンを差し込み作業を簡素化することができ、組み付けを容易に行うことができるというメリットがある。
【００６２】
また、駆動側カップリング９０ａの筒状部１９２の内径を、駆動出力軸１８４の外径よりも大きくするのが好ましい。これにより、駆動側カップリング９０ａを、駆動出力軸１８４にスムーズに組み付けることができ、組み立て性を向上させることができる。同様に、コイルスプリング９１の内径も、駆動出力軸１８４の外径よりも大きくすることで、コイルスプリング９１を、駆動出力軸１８４にスムーズに組み付けることができ、組み立て性を向上させることができる。
【００６３】
また、図１２に示すように、コイルスプリング９１とボールベアリング１８６との間に圧入部品９２を圧入し、コイルスプリングの一端を、この圧入部品に当接させてもよい。これにより、指定長さＡを短くし、密着高さＢを高くでき、Ｃ＞Ａ−Ｂの関係を満たすことができる。
【００６４】
以上に説明したものは一例であり、以下の態様毎に特有の効果を奏する。
（態様１）
駆動出力軸１８４などの回転軸対して軸方向にスライド可能に取り付けられ、回転軸に設けた平行ピン１８４ａなどの軸側駆動伝達部が嵌合し軸方向に延びる溝部１９１などの嵌合部を有し、回転軸との間で駆動伝達を行う駆動側カップリング９０ａなどの駆動伝達部材と、前記駆動伝達部材を軸方向一方側に付勢するコイルスプリング９１と、前記コイルスプリング９１の付勢力による駆動伝達部材の前記回転軸からの抜け出しを防止する抜け止め手段（本実施形態では、平行ピン１８４ａ）とを備えた駆動伝達機構などの駆動伝達装置であって、駆動伝達部材が前記抜け止め手段により止められているときのコイルスプリングの長さをＡ、巻線同士が密着するまで前記コイルスプリングを圧縮したときのコイルスプリングの長さである密着高さをＢ、前記嵌合部の軸方向長さをＣとしたとき、前記コイルスプリングとして、巻線ピッチが互いに異なる部分を有するコイルスプリングを用いて、Ｃ＞Ａ−Ｂの関係を満たす。
【００６５】
駆動側カップリング９０ａなどの駆動伝達部材の軸方向の移動可能範囲Ｘは、駆動伝達部材が前記抜け止め手段により止められているときのコイルスプリングの長さ（指定長さ）Ａからコイルスプリング９１の密着高さＢを差し引いた値（Ａ−Ｂ）である。従って、駆動伝達部材の軸方向の移動可能範囲Ｘを、溝部１９１などの嵌合部の軸方向長さＣよりも短くすれば（Ｃ＞Ａ−Ｂ）、平行ピン１８４ａなどの軸側駆動伝達部が前記嵌合部の軸方向の長さの範囲で相対移動し、軸側駆動伝達部が嵌合部から外れなくすることができる。
移動可能範囲Ｘ（Ａ−Ｂ）を、溝部などの嵌合部の軸方向長さＣよりも短くするには、
（１）指定長さＡを短くする
（２）コイルスプリング９１の密着高さＢを高くする
（３）嵌合部の軸方向長さＣを長くする
以上の３つが考えられる。
【００６６】
（１）指定長さＡを短くするには、例えば、ベアリング１８６や回転体など、回転軸にもともと取り付けらた部材よりも駆動伝達部材側に、Ｅリングを設けたり、回転軸に取り付けられた部材よりも駆動伝達部材側に段差部を設けたりして、回転軸にもともと取り付けられている部材より駆動伝達部材側でコイルスプリング９１の一端が当接するようにすることが考えられる。しかし、軸にＥリングが嵌る溝部や、軸に段差部などを形成するためには、軸に加工を施す必要があり、装置のコストアップに繋がるおそれがある。
【００６７】
（２）コイルスプリング９１の密着高さＢを高くするには、例えば、巻線ピッチを狭めてコイルスプリング９１の巻き数を増やすことで、密着高さＢを高くすることができる。しかしながら、ただ単に、全体の巻線ピッチを狭めて巻き数を増やす構成では、コイルスプリング９１のバネ定数が低下し、所望の付勢力が得られなくなる。その結果、コイルスプリング９１の付勢力で、駆動伝達部材を一方側へ押し戻すことができなくなり、駆動伝達部材に接続される従動側カップリング９０ｂなどの被駆動伝達部材との接続が不安定となるおそれがある。そこで、コイルスプリング９１を構成する線材の直径を太くして、巻線ピッチが狭くても、所定のバネ定数を得られるようにすることも考えられる。しかし、線材の直径を太くすると、コイルスプリング９１が大径化してしまい、装置が大型化するおそれがある。
【００６８】
（３）溝部１９１などの嵌合部の軸方向長さＣを長くした場合は、駆動伝達部材の耐久性に影響が出るおそれがある。
【００６９】
そこで、態様１では、巻線ピッチが互いに異なる部分を有するコイルスプリングを用いて、Ｃ＞Ａ−Ｂの関係を満たすようにした。これにより、巻線ピッチが広い部分により、所定のバネ定数を得ることができ、所定の付勢力で、駆動伝達部材を一方側に押し込むことができる。その結果、駆動伝達部材をコイルスプリングに付勢力で規定の位置へ押し戻すことができる。
【００７０】
また、巻線ピッチの狭い部分を有することで、すべての巻線ピッチを一定した場合に比べて、密着高さＢを高くすることができる。これにより、コイルスプリングを構成する線材の直径を大きくすることなく、所望の付勢力を得ることができ、かつ、密着高さＢを高くすることができる。その結果、コイルスプリングの大型化による装置の大型化を防止して、駆動伝達部材の軸方向の移動可能範囲Ｘ＝（Ａ−Ｂ）を、溝部などの嵌合部の軸方向長さＣよりも短くすることができ、軸側駆動伝達部が嵌合部から外れるのを抑制することができる。
【００７１】
また、溝部１９１などの嵌合部の軸方向長さＣを長くしたり、指定長さＡを短くしたりすることなく、駆動伝達部材の軸方向の移動可能範囲Ｘを、嵌合部の軸方向長さＣよりも短くすることができる。これにより、駆動伝達部材の耐久性の低下を抑制することができる。また、ベアリング１８６などのもともと軸に圧入されている部材にコイルスプリングの一端を突き当てることができ、軸にコイルスプリングの一端を突き当てるための加工を施す必要がない。これにより、装置のコストアップを抑制することができる。
【００７２】
（態様２）
（態様１）においてコイルスプリング９１は、巻線ピッチが疎の部分９１ａと、３巻き以上の巻線ピッチが密の部分９１ｂとを有し、巻線ピッチ密の部分９１ｂは、巻線同士が接触している。
これによれば、実施形態で説明したように、駆動側カップリング９０ａなどの駆動伝達部材がコイルスプリング９１を圧縮する方向に移動したとき、疎の部分９１ｂのみが縮み、疎の部分９１ｂのバネ定数で駆動伝達部材を付勢することができる。これにより、コイルスプリング９１の付勢力に抗して駆動伝達部材をコイルスプリング９１を圧縮変形させる方向に押し込む外力が解除されたとき、コイルスプリング９１の付勢力で、駆動伝達部材を規定の位置（本実施形態では、平行ピン１８４ａが、溝部１９１の奥側端部に突き当たる位置）まで、駆動側伝達部材を確実に戻すことができる。
また、密の部分９１ａを３巻き以上設けることで、コイルスプリング９１が長くても、安定的に姿勢を維持することができ、コイルスプリング９１を容易に駆動出力軸に組み付けることができる。
【００７３】
（態様３）
（態様１）または（態様２）であって、抜け止め手段は、平行ピン１８４などの軸側駆動伝達部である。
これによれば、平行ピン１８４などの軸側駆動伝達部とは別に、抜け止め手段を設ける場合に比べて、部品点数を削減することができ、装置のコストダウンを図ることができる。
【００７４】
（態様４）
（態様１）乃至（態様３）いずれかにおいて、前記コイルスプリングの一端を、駆動出力軸１８４などの回転軸に圧入された部材に当接させた。
これによれば、先の図８に示したコイルスプリング９１の一端を軸に形成した段差部１８４ｂに当接させたものや、先の図９に示したコイルスプリング９１を軸に形成した溝部に嵌め込んだＥリングに当接させたもに比べて、軸を加工する必要がなく、製造コストアップを抑えることができる。
【００７５】
（態様５）
（態様４）において、駆動出力軸１８４などの回転軸に圧入された部材が、ボールベアリング１８６などのベアリングである。
これによれば、駆動出力軸１８４などの回転軸を受けるベアリングにコイルスプリング９１の他端を当接させることで、ベアリングとは別に、圧入部品を設ける場合に比べて、部品点数を削減することができ、装置のコストダウンを図ることができる。
【００７６】
（態様６）
（態様１）乃至（態様５）いずれかにおいて、駆動側カップリング９０ａなどの駆動伝達部材は、駆動出力軸１８４などの回転軸が挿入される筒状部１９２を有し、前記筒状部の内径を、前記回転軸の外径よりも大きくした。
これによれば、実施形態で説明したように、駆動出力軸１８４などの回転軸を駆動側カップリング９０ａなどの駆動伝達部材の筒状部１９２にスムーズに挿入することができ、組み立て性を良好にすることができる。
【００７７】
（態様７）
画像形成装置は、（態様１）乃至（態様６）いずれかの駆動伝達装置を備えている。
これによれば、装置のコストアップを抑えることができる。
【符号の説明】
【００７８】
１：プリンタ部
２：プロセスカートリッジ
３：感光体
１８：感光体クリーニング装置
１８ａ：奥側側面
１９：潤滑剤塗布ブラシローラ
８０：駆動装置
８１：ドラムモータ
８２：現像モータ
８３：クリーニングモータ
８３ａ：モータギヤ
８４：奥側側板
８５ａ：第１モータ取り付け面板
８５ｂ：第２モータ取り付け面板
９０：ジョイント
９０ａ 駆動側カップリング
９０ａ 駆動側カップリング
９１：コイルスプリング
９１ａ：疎の部分
９１ｂ：密の部分
９２：圧入部品
１８３：アイドラギヤ部
１８４：駆動出力軸
１８４ａ：平行ピン
１８４ｂ：段差部
１８５：出力ギヤ
１８５ａ：駆動連結ピン
１８６,１８７：ボールベアリング
１９１：溝部
１９２：筒状部
１９３：突起部
２００：Ｅリング
Ａ：指定長さ
Ｂ：密着高さ
Ｃ：溝部の軸方向長さ
Ｐ,Ｐ０,Ｐ１：巻線ピッチ
【先行技術文献】
【特許文献】
【００７９】
【特許文献１】特許第４６０４０６３号公報
【図１】
0006493803.tif 000002
【図２】
0006493803.tif 000003
【図３】
0006493803.tif 000004
【図４】
0006493803.tif 000005
【図５】
0006493803.tif 000006
【図６】
0006493803.tif 000007
【図７】
0006493803.tif 000008
【図８】
0006493803.tif 000009
【図９】
0006493803.tif 000010
【図１０】
0006493803.tif 000011
【図１１】
0006493803.tif 000012
【図１２】
0006493803.tif 000013